(57)【要約】【課題】簡単な構成で、切換えにより複数の水平ライン数の標準映像信号方式が得られる撮像装置を提供する。【解決手段】光電変換部の水平ライン数が１４４０ラインであり、水平転送ＣＣＤ部を有する撮像素子による撮像手段と、前記水平ラインの各画素の信号読み出し時に、映像信号方式に応じて垂直方向に隣接する画素を選択し、選択された画素の信号を混合して読み出す読み出し手段と、前記水平転送ＣＣＤ部からの出力信号を少なくとも３ライン分メモリし、映像信号方式に応じた所定比率でこのメモリの出力信号を混合するライン信号合成手段と、前記ライン信号合成手段からの出力信号の水平画素数を映像信号方式に応じた所定の水平画素数に変換する水平画素補正手段とで構成することにより、簡単な切換えにより複数の水平ライン数の標準映像信号方式が得られる撮像装置を提供できる。【選択図】図１
2006093891.tif 000002
【特許請求の範囲】
【請求項１】
被写体像からの入射光をレンズを介して撮像素子に入射させ、光電変換して得た画像信号から、有効水平ライン数が１０８０本、７２０本、４８０本であって、夫々飛び越し走査または順次走査を行う映像信号方式のいずれかの映像信号を生成し出力する撮像装置において、
前記撮像素子の光電変換部分の有効な水平ライン数が１４４０ラインであり、前記映像信号の前記水平ライン数が７２０本及び４８０本の場合には前記各画素の垂直方向に隣接する画素を選択し、前記選択された画素の画像信号を混合してから転送して読み出し、前記水平ライン数が１０８０本の場合には前記各画素の画像信号を単独で読み出す転送する垂直転送部及び前記水平ラインの画像信号をライン毎に順次転送する水平転送部を有する前記撮像素子による撮像手段と、
前記水平転送部からの出力画像信号をライン毎に順次記憶する少なくとも３ライン分のメモリを有し、前記水平ライン数が１０８０本の場合には前記各メモリに記憶されている画像信号を所定比率で混合し、前記水平ライン数が７２０本及び４８０本の場合には前記水平転送部からの出力画像信号を連続して取り出すライン信号合成手段と、
前記ライン信号合成手段からの出力画像信号の水平画素数を前記映像信号方式に応じた所定の水平画素数に変換し、周波数帯域と時間軸の補正を行う水平画素補正手段と、
から構成されていることを特徴とする撮像装置。
【請求項２】
被写体像からの入射光をレンズを介して撮像素子に入射させ、光電変換して得た画像信号から、有効水平ライン数が１０８０本、７２０本、４８０本であって、夫々飛び越し走査または順次走査を行う映像信号方式のいずれかの映像信号を生成し出力する撮像装置において、
前記撮像素子の光電変換部分の有効な水平ライン数が１４４０ラインであり、前記生成し出力する映像信号の前記水平ライン数が７２０本及び４８０本の場合には前記各画素の垂直方向に隣接する画素を選択し、前記選択された画素の画像信号を混合してから転送し、前記水平ライン数が１０８０本の場合には前記各画素の画像信号を単独で転送する垂直転送部及び前記水平ラインの画像信号をライン毎に順次転送する少なくとも３個の水平転送部を有する前記撮像素子による撮像手段と、
前記少なくとも３個の水平転送部からの各画像信号が入力され、前記水平ライン数が１０８０本の場合には前記各画像信号を所定比率で混合し、前記水平ライン数が７２０本及び４８０本の場合には前記各画像信号の内の１つの画像信号を連続して出力するライン信号合成手段と、
前記ライン信号合成手段からの出力画像信号の水平画素数を前記映像信号方式に応じた所定の水平画素数に変換し、周波数帯域と時間軸の補正を行う水平画素補正手段と、
から構成されていることを特徴とする撮像装置。
【発明の詳細な説明】
【技術分野】
【０００１】
本発明は、ＣＣＤ等の固体撮像素子を用いた撮像装置に係り、特に水平ライン数の異なる複数の映像信号方式を得ることのできる撮像装置に関する。
【背景技術】
【０００２】
近年、高精細度映像信号として水平ライン数が１１２５本（有効１０８０本）のハイビジョン方式の普及が著しい。又、従来からある５２５本（同４８０本）のＮＴＳＣ方式も依然として主流であるが、飛び越し走査を順次走査に変換して表示することで高精細度化している例が増している。更に、水平ライン数７５０本（同７２０本）で順次走査の新しい映像信号方式が使われるようになってきた。
このような傾向に合わせ、ディスプレイ側もこれらの映像信号方式がすべて表示できるモニターテレビが多くなっている。
【０００３】
こうしたことから、普及型の撮像装置についても高精細度映像信号が撮れるものが増えてきたが、高精細度映像信号は広い周波数帯域を必要とするために記録保存等で不便な面が多い。そのため従来の映像信号方式も依然として必要になる。そこで、１台でこれらの映像信号方式が得られ、使用者が状況に応じて切換えて使用できる撮像装置が望まれている。
【０００４】
従来から、１台の撮像装置で複数の映像信号方式を得る技術が知られているが、多くは固体撮像素子から得られる映像信号を方式変換することによって複数の映像信号方式を得るものである（例えば、特許文献１参照）。
【０００５】
この特許文献１では、固体撮像素子から全画素の電荷を読み出すことで、順次走査と飛び越し走査の映像信号を同時に出力したり、又、空間的に異なる位置の電荷を外部で自由に混合することができるようにし、この混合の組合わせを変えることで、後段の方式変換部で変換できる映像信号方式の種類の制限を無くすように工夫したものである。
【０００６】
特許文献１のようにフレームレートの変換を含む方式変換回路を主体として複数の映像信号方式を同時に得るものは、多くの記憶回路と方式の数だけ方式変換回路が必要になるので、回路構成が非常に大きくなる問題を有している。そこで特許文献１では、回路規模を少なくするために切換えによって複数の映像信号方式を得る提案も行われているが、この場合にも回路構成の煩雑さは残っている。更に、常に全画素読み出しが必要になるために、ライン数の少ない場合でも撮像素子からの読み出しスピードは高速であるから、ここでの消費電力を下げられない問題がある。
【特許文献１】特開２０００−１６５７５７号公報
【発明の開示】
【発明が解決しようとする課題】
【０００７】
前記したように、従来、複数の映像信号方式を得ることのできる撮像装置は、フレームレートの変換を含む方式変換回路を用いることを主体に構成されているため、多くの映像信号方式に変換可能であるが、その分回路構成が複雑になる欠点を有していた。
しかし、複数の映像信号方式といってもディスプレイ側のモニターテレビへの適応から、現在必要とされている映像信号方式はごく限られたもので、前述のように、有効水平ライン数に限ると１０８０本、７２０本、４８０本の３種類である。これら３種類のライン数で飛び越し走査（７２０本は除く）と順次走査の各映像信号が得られれば実用上は十分である。
【０００８】
本発明は、このような従来の問題点に鑑みなされたものであり、その目的は、水平ライン数を工夫した固体撮像素子を用いて、有効水平ライン数１０８０本、７２０本、４８０本の３種類について、夫々飛び越し走査と順次走査の映像信号が比較的簡単な回路構成で得られる撮像装置を提供するものである。
【課題を解決するための手段】
【０００９】
本発明は、上記課題を解決する手段として以下の（１）（２）に記載の構成からなる。すなわち、
（１）被写体像からの入射光をレンズを介して撮像素子に入射させ、光電変換して得た画像信号から、有効水平ライン数が１０８０本、７２０本、４８０本であって、夫々飛び越し走査または順次走査を行う映像信号方式のいずれかの映像信号を生成し出力する撮像装置において、
前記撮像素子の光電変換部分の有効な水平ライン数が１４４０ラインであり、前記映像信号の前記水平ライン数が７２０本及び４８０本の場合には前記各画素の垂直方向に隣接する画素を選択し、前記選択された画素の画像信号を混合してから転送して読み出し、前記水平ライン数が１０８０本の場合には前記各画素の画像信号を単独で読み出す転送する垂直転送部及び前記水平ラインの画像信号をライン毎に順次転送する水平転送部を有する前記撮像素子による撮像手段と、
前記水平転送部からの出力画像信号をライン毎に順次記憶する少なくとも３ライン分のメモリを有し、前記水平ライン数が１０８０本の場合には前記各メモリに記憶されている画像信号を所定比率で混合し、前記水平ライン数が７２０本及び４８０本の場合には前記水平転送部からの出力画像信号を連続して取り出すライン信号合成手段と、
前記ライン信号合成手段からの出力画像信号の水平画素数を前記映像信号方式に応じた所定の水平画素数に変換し、周波数帯域と時間軸の補正を行う水平画素補正手段と、
から構成されていることを特徴とする撮像装置。
（２）被写体像からの入射光をレンズを介して撮像素子に入射させ、光電変換して得た画像信号から、有効水平ライン数が１０８０本、７２０本、４８０本であって、夫々飛び越し走査または順次走査を行う映像信号方式のいずれかの映像信号を生成し出力する撮像装置において、
前記撮像素子の光電変換部分の有効な水平ライン数が１４４０ラインであり、前記生成し出力する映像信号の前記水平ライン数が７２０本及び４８０本の場合には前記各画素の垂直方向に隣接する画素を選択し、前記選択された画素の画像信号を混合してから転送し、前記水平ライン数が１０８０本の場合には前記各画素の画像信号を単独で転送する垂直転送部及び前記水平ラインの画像信号をライン毎に順次転送する少なくとも３個の水平転送部を有する前記撮像素子による撮像手段と、
前記少なくとも３個の水平転送部からの各画像信号が入力され、前記水平ライン数が１０８０本の場合には前記各画像信号を所定比率で混合し、前記水平ライン数が７２０本及び４８０本の場合には前記各画像信号の内の１つの画像信号を連続して出力するライン信号合成手段と、
前記ライン信号合成手段からの出力画像信号の水平画素数を前記映像信号方式に応じた所定の水平画素数に変換し、周波数帯域と時間軸の補正を行う水平画素補正手段と、
から構成されていることを特徴とする撮像装置。
【発明の効果】
【００１０】
撮像素子と回路の工夫により、有効水平ライン数が１０８０本、７２０本、４８０本の３種類について、飛び越し走査（７２０本は除く）と順次走査の各映像信号方式の信号が簡単な切換えにより得られるので、１台の撮像装置で目的や用途に応じて最適な映像信号方式を選択することが可能になる。
【発明を実施するための最良の形態】
【００１１】
以下、本発明を実施するための最良の形態について、図面と共に説明する。
図１は本発明による第１及び第２実施例の撮像装置の構成を示すブロック図、図２は第１実施例の撮像装置に用いる撮像素子の内部回路のブロック図、図３は複数の映像信号方式におけるライン信号の生成を説明するための図、図４は本発明による第２実施例の撮像装置に用いる撮像素子の内部回路のブロック図、図５は第２実施例の１０８０本順次走査におけるライン信号の生成を説明するための図である。
【実施例１】
【００１２】
まず、第１実施例における撮像装置の映像信号の生成過程を簡単に説明する。
図１において、撮像装置のレンズ１０１を介して入射される被写体からの撮像光は、光電変換部分が特殊な水平ライン数で構成されているＣＣＤ（電荷結合素子）を用いた撮像素子１０２にて電気的な画像信号に光電変換される。なお、この撮像素子１０２の構造と動作の詳細については後述する。
撮像素子１０２からは１水平ラインを単位として画像信号が出力され、次いで前置処理回路１０３で増幅やノイズ抑圧等の信号処理がなされて、次のライン合成回路１０４に供給される。
【００１３】
ライン合成回路１０４に入力された画像信号は、出力する映像信号方式の水平ライン数が１０８０本の場合には、ここで１ライン区間を区切りとして、内部に有する３ラインのメモリに順次記憶される。次いでこの３ラインのメモリの画像信号を適宜選択し、所定比率で混合して１つの画像信号を生成する。混合比率は順次走査と飛び越し走査で異なる。
又、出力する映像信号方式の水平ライン数が７２０本と４８０本の場合には、入力された画像信号のまま出力する。これらの制御はＣＰＵ１１０が行う。なお、この部分の動作の詳細は後述する。
【００１４】
ライン合成回路１０４の出力信号は、次いで水平画素補正回路１０５に入力され、ここでＣＰＵ１１０からの制御で、出力する映像信号方式に応じて水平方向の画素数の制限（周波数帯域の制限）と水平方向の時間軸補正を行い、各映像信号方式で決められたライン信号の仕様に合わせるようにする。
【００１５】
水平画素補正回路１０５の出力信号は、次いで映像プロセス回路１０６に入力され、ここで同期信号回路１０９から入力された同期信号が付加され映像信号となり、映像信号出力端子１０７から外部に出力される。なお、必要に応じて同期信号も単独に同期信号出力端子１０８から出力される。
【００１６】
タイミングパルス発生回路１１１は、ＣＰＵ１１０から供給される制御データを基に前述の各回路の動作に必要なタイミングパルスを供給するところである。
また、ＣＣＤドライバ１１２はタイミングパルス発生回路１１１からのパルスを受けて撮像素子１０２に信号読み出しを制御するドライブパルスを供給する。なお、このドライブパルスによる撮像素子１０２の読み出し動作の詳細は後述する。
【００１７】
次に、出力する映像信号方式に対応した上記各主要回路部の動作の詳細を説明する。
出力する映像信号方式としては、１０８０ｐ（有効水平ライン数１０８０本、順次走査）、１０８０ｉ（同１０８０本、飛び越し走査）、７２０ｐ（同７２０本、順次走査）、４８０ｐ（同４８０本、順次走査）、４８０ｉ（同４８０本、飛び越し走査）の５種類である。
【００１８】
最初に、本実施例で用いるＣＣＤ１０２の構造と動作を説明する。
図２に示すように、ＣＣＤ１０２の内部構造は、フォトダイオード２０１、垂直転送ＣＣＤ２０２、駆動パルス入力端子２０３、水平転送ＣＣＤ２０４、画像信号出力端子２０５の主要部から構成されている。
各部の動作を簡単に説明すると、フォトダイオード２０１は外部から入射された被写体光を光電変換して画像信号をつくり出し、駆動パルス入力端子２０３から入力された駆動パルスの制御で各フォトダイオードが生成した画像信号を一斉に各垂直転送ＣＣＤ２０２に送り出す。
次いで垂直転送ＣＣＤ２０２の各列は、同じ水平ラインの画像信号を同時に順次水平転送ＣＣＤ２０４に転送する。水平転送ＣＣＤ２０４に転送された１水平ライン分の画像信号は、順次電荷制御アンプを経由して画像信号出力端子２０５から出力される。
【００１９】
上記主要部の構成と動作は、通常使用され良く知られているＣＣＤ撮像素子とほぼ同様であるが、本実施例で用いるＣＣＤ１０２の格別の構成は、フォトダイオード２０１の垂直方向の段数、すなわち水平ライン数である。
本実施例では、このＣＣＤ１０２の水平ライン数を１４４０とすることに特徴がある。なお、当然ながら、垂直転送ＣＣＤ２０２の垂直方向の段数も同一の数になる。
この１４４０の数は、１つの撮像素子で上記５種類の映像信号方式を得るのに最も相応しい水平ライン数として設定したものである。
【００２０】
次に、５種類の映像信号方式と上記水平ライン数１４４０との関係を説明する。
まず、水平ライン数が４８０本の場合である４８０ｐと４８０ｉの映像信号方式の生成について述べる。
４８０ｐの映像信号方式の場合、１フィールドの水平ライン数は４８０本であるから、１４４０を単純に３分の１にすればよい。本発明では、この割り算をＣＣＤ１０２の内部で行うようにしている。すなわち、フォトダイオード２０１から垂直転送ＣＣＤ２０２に画像信号を移すときに、フォトダイオード２０１の垂直方向に隣接する３画素分の画像信号を混合して垂直転送ＣＣＤ２０２に移すのである。この動作は、駆動パルス入力端子２０３に供給された駆動パルスで制御をする。
【００２１】
次に、４８０ｉの場合は、１フィールドの水平ライン数は２４０本であるから、１４４０を単純に６分の１にすればよいことになる。この場合はフォトダイオード２０１の垂直方向に隣接する６画素分の画像信号を混合して移すようにし、混合されてできる画像の位置（重心位置）が奇数フィールドと偶数フィールドで互いに中央になるように６画素を選択することでインターレース画像を成立させる。（一方のフィールドの水平ライン数は２３９本になる）
【００２２】
次に、７２０ｐの場合には、１フィールドの水平ライン数は７２０本であるから、１４４０を単純に２分の１にすればよいことになる。この場合はフォトダイオード２０１の垂直方向に隣接する２画素分の画像信号を混合して垂直転送ＣＣＤ２０２に移すのである。
【００２３】
以上の３映像信号方式については、いずれも１４４０を単純に整数分の１にすることで所定のライン数にすることができる。
図３は、上記１４４０ラインの画像信号から所定のライン数の画像信号を生成する様子を示したものである。この図で、左端の１４４０がフォトダイオード２０１の水平ラインの画像信号位置を示し、右側の７２０ｐ、４８０ｐ、４８０ｉの各生成画像点は上記で説明した画素混合の状態と混合結果の画像位置（画像の重心位置。以下同様）を示したものである。なお、この場合、各画素の混合割合は均等である。
【００２４】
次に、１０８０ｐ、１０８０ｉの場合のライン数生成について説明する。この場合には１４４０から単純な割り算ではライン信号を生成できないので本発明の第１実施例では次のように行う。
まず、ＣＣＤ１０２でのフォトダイオード２０１の読み出しは画素混合せずに全画素の画像信号を読み出すようにする。こうして読み出された１４４０ラインの画像信号は画像信号出力端子２０５から出力されて、前記図１で説明したように、ライン合成回路１０４に供給され、内部の３ラインのメモリに１ライン単位で順次繰り返し記憶され、次いで、この３ラインのメモリの画像信号を混合する。このときのメモリの選択と各画像信号の混合比をＣＰＵ１１０からの制御で行い所定のライン数が生成される。
【００２５】
このときのメモリの選択と各画像信号の混合比について図３を用いて説明する。前記したように、図３は生成後のライン信号の画像位置を示しているが、１０８０ｐではまず最初のライン信号は、１４４０で示してある入力ライン信号の（１）と（２）が選択されて均等に混合され、次いで２番目は、同（２）と（３）が選択され、夫々１／６、５／６の比率で混合される。次いで３番目は、同（４）と（５）が選択され、夫々５／６、１／６の比率で混合される。以下この繰り返しが行われる。
このようなラインの選択と画像信号の混合比により、生成後の画像信号は、画像位置が等間隔でライン数が３／４に変換された１０８０ｐの画像信号が得られる。
【００２６】
次に１０８０ｉの場合は、図３に示すようにフィールド１の１番目は１４４０で示してある入力ライン信号の（１）と（２）が選択されて均等に混合されるが、２番目は同（３）、（４）、（５）の３ラインが混合され、３番目も同様に次の３ラインが混合される。このときの画像の混合比率は図示の通りである。
なお、３ラインの混合では、同一の重心が得られる混合比率はいろいろあるが、主に画質を考慮しながらこの値を設定する。上記混合比率は一例である。
以下この繰り返しで行われ、次のフィールド２では、フィルド１の画像位置の中央に重心が位置するようにラインの選択と適切な比率で混合される。
こうして、フィールド毎のライン数が３／８に変換された１０８０ｉの画像信号が得られるようになる。
【００２７】
なお、本実施例ではライン合成回路１０４の内部のメモリ数を３ラインとしているが、これは、入力の１４４０ラインをすべて変換に使用するために必要な最小の数であり、これにより、ラインフリッカの少ないライン数変換が行えるようになる。
【００２８】
また、前記７２０ｐ、４８０ｐ、４８０ｉの生成の場合には、このライン合成回路１０４の内部のメモリは使用せず入力の画像信号をそのまま連続して出力すればよいが、回路構成の状況によっては３ラインメモリの出力を順に選択して連続信号として出力するように構成しても良い。
【実施例２】
【００２９】
次に、本発明による第２実施例について説明する。
図４は第２実施例に用いる撮像素子１０２の内部回路のブロック図である。本構成が図２に示す第１実施例に用いる撮像素子と異なる点は、水平転送ＣＣＤ部を３ライン分設けた点にある。
すなわち図４において、本実施例で用いる撮像素子は、水平転送ＣＣＤ（１）２０４の他に同（２）２０６、同（３）２０８と、関連する電荷制御アンプと画像出力端子（１）２０５、同（２）２０７、同（３）２０９を設けている。
【００３０】
上記回路構成の撮像素子１０２を用い、水平転送ＣＣＤ（１）２０４、同（２）２０６、同（３）２０８は垂直転送ＣＣＤ２０２からのライン毎の画像信号を順繰りに転送するように動作する。
次いで、生成する映像信号の種類に応じて駆動パルス入力端子２０３に供給される駆動パルスの制御により、上記３つの水平転送ＣＣＤの中から、水平転送ＣＣＤ（１）２０４の画像信号だけか、若しくは水平転送ＣＣＤ（１）２０４と同（２）２０６の２つの画像信号か、あるいは水平転送ＣＣＤ（１）２０４、同（２）２０６、同（３）２０８の３つの画像信号かを選択して出力し、図１に示す前置処理回路１０３に供給される（点線で示した経路が増す）。前置処理回路１０３に供給された画像信号は次いでライン合成回路１０４に入る。（なお、上記水平転送ＣＣＤの特性として、画像信号を転送した後はその画像信号は水平転送ＣＣＤには残っておらず空の状態になる。）
【００３１】
このようにしてライン合成回路１０４に供給された画像信号は、ここで次のように３つの状態で合成処理が行われる。すなわち、画像信号が１つの場合はそのまま出力に、２つと３つの場合には夫々所定の比で混合されるのである。
【００３２】
出力する映像信号方式が７２０ｐ、４８０ｐ、４８０ｉの場合には、本実施例でも第１実施例で述べたようなフォトダイオード２０１の読み出しでの画素混合が行われる。したがって、水平転送ＣＣＤ（１）２０４だけが使用されるようになり、常に１つの水平転送ＣＣＤが使われるだけであるから、このライン合成回路１０４では入力された画像信号がそのまま出力される。このときの生成される画像信号の位置は図３に示した第１実施例の場合と同一である。
【００３３】
出力する映像信号方式が１０８０ｉの場合には、上記２つの水平転送ＣＣＤからの画像信号と３つの水平転送ＣＣＤからの画像信号とが用いられ、図３の１０８０ｉに示す生成画像と同様の画像位置に夫々図に示す所定比で混合し生成することで８分の３のライン数変換を行っている。すなわち、第１実施例の場合と同じ状態で生成される。
【００３４】
１０８０ｐの映像信号方式の場合には第１実施例の場合とは異なり、図５に示す画素位置になる。図示したように、この場合には１つの水平転送ＣＣＤからの画像信号と２つの水平転送ＣＣＤからの画像信号を用いることで４分の３のライン数変換を行っているのである。この場合には、生成されたライン画像の重心位置はこれまでのように等間隔ではなくなる。これは、水平転送ＣＣＤからの画像信号は転送後に消滅するので１度しか使えず、このような生成方法になるためである。
しかし、１０８０ｐの場合には１フィールドのライン数が多いので生成画像の重心位置の若干のずれはそれほど画質に悪影響を及ぼさないといえる。
【００３５】
第２実施例では、上記で述べた個所以外の構成は第１実施例と同一である。
このように、本第２実施例では撮像素子の内部に３つの水平転送ＣＣＤを設けることで、
第１実施例のように外部のライン合成回路１０４に３ラインメモリを持つ必要が無くなるので、極めて回路構成が簡略化できる特徴がある。
【００３６】
以上詳細に説明したように、本発明方式による撮像装置は、撮像素子の光電変換部分の有効な水平ライン数を１４４０ラインに設定することで、簡単な回路構成で１０８０ｐ、１０８０ｉ、７２０ｐ、４８０ｐ、４８０ｉの５種類の映像信号方式が得られる特徴を有するものである。なお、上記１４４０ラインの高精細画像をそのまま出力して、高画素数の静止画像として用いることも可能である。
【図面の簡単な説明】
【００３７】
【図１】第１及び第２実施例の撮像装置の構成を示すブロック図である。
【図２】第１実施例の撮像装置に用いる撮像素子の内部回路のブロック図である。
【図３】複数の映像信号方式におけるライン信号の生成を説明するための図である。
【図４】第２実施例の撮像装置に用いる撮像素子の内部回路のブロック図である。
【図５】第２実施例の１０８０ｐにおけるライン信号の生成を説明するための図である。
【符号の説明】
【００３８】
１０１・・・レンズ
１０２・・・撮像素子
１０３・・・前置処理回路
１０４・・・ライン合成回路
１０５・・・水平画素補正回路
１０６・・・映像プロセス回路
１０７・・・映像信号出力端子
１０８・・・同期信号出力端子
１０９・・・同期信号回路
１１０・・・ＣＰＵ
１１１・・・タイミングパルス発生回路
１１２・・・ＣＣＤドライバ
１１３・・・切換信号入力端子
２０１・・・フォトダイオード
２０２・・・垂直転送ＣＣＤ
２０３・・・駆動パルス入力端子
２０４・・・水平転送ＣＣＤ又は水平転送ＣＣＤ（１）
２０５・・・画像信号出力端子又は画像信号出力端子（１）
２０６・・・水平転送ＣＣＤ（２）
２０７・・・画像信号出力端子（２）
２０８・・・水平転送ＣＣＤ（３）
２０９・・・画像信号出力端子（３）
【図１】
2006093891.tif 000003
【図２】
2006093891.tif 000004
【図３】
2006093891.tif 000005
【図４】
2006093891.tif 000006
【図５】
2006093891.tif 000007